(57)【要約】  本発明によると、パッティング練習補助具が提供され、補助具は、ホールのイメージを地面に生成するための装置、及びそのイメージでゴルフボールがホールの中に落ちたか否かを確認するために、可視イメージに向けられたゴルフボールの速度と方向を決定するための検出装置を含む。検出装置は、何処でボールがイメージと交差するか、及びこのことがボールをイメージにおけるホールに落とすか否かを検出するための手段を含むことが好ましい。補助具は、地面の上方で間隔を空けて伸長可能なフレームを含む。イメージ生成装置はフレーム上に提供され、必要なサイズと形状のホールのイメージを生成するために下向きに光ることができるライトを含む。
2008539847.tif 000002
【特許請求の範囲】
【請求項１】
ホールのイメージを地面に生成するためのイメージ生成装置、及び前記イメージでゴルフボールが前記ホールの中に落ちたか否かを確認するために、前記可視イメージに向けられた前記ゴルフボールの速度と方向を決定するための検出装置を含むことを特徴とする、パッティング練習補助具。
【請求項２】
前記検出装置が、何処でボールがイメージと交差するか、及びこのことがボールをイメージにおけるホールに落とすか否かを検出するための手段を含む、請求項１に記載のパッティング練習補助具。
【請求項３】
地面の上方で間隔を空けて伸長可能なフレームを含む、請求項１又は２に記載のパッティング練習補助具。
【請求項４】
イメージ生成装置が前記フレーム上に提供される、請求項３に記載のパッティング練習補助具。
【請求項５】
必要なサイズと形状のホールのイメージを生成するために下向きに光ることができるライトを含む、請求項４に記載のパッティング練習補助具。
【請求項６】
前記イメージ生成装置がレンズを照らすＬＥＤを有する、請求項５に記載のパッティング練習補助具。
【請求項７】
前記フレームが、前記ホールのイメージの反対側に各々が配置可能な２つの地面接触部を含む、請求項３〜６の何れか１つに記載のパッティング練習補助具。
【請求項８】
前記検出装置が、前記ホールのイメージ全体にわたって広がる複数のビームを生成するための手段、及び何時、どれだけの時間ゴルフボールによってビームが遮断されるかを決定するための手段を含む、請求項２〜７の何れか１つに記載のパッティング練習補助具。
【請求項９】
前記複数のビームが赤外線である、請求項８に記載のパッティング練習補助具。
【請求項１０】
前記複数のビームが可視光である、請求項８に記載のパッティング練習補助具。
【請求項１１】
前記検出装置が、互いに傾斜し、前記ホールのイメージを通過し、前記イメージを通過するゴルフボールの速度、位置、及び方向が決定されることを可能にする１組の検出ビームを生成する、請求項８〜１０の何れか１つに記載のパッティング練習補助具。
【請求項１２】
前記検出装置が、ゴルフボールが移動している一般的な方向を決定するための外部ビーム、又は複数のビームを生成する、請求項１１に記載のパッティング練習補助具。
【請求項１３】
前記検出装置が、ショットが行われた後、前記ホールのイメージにゴルフボールが残留するか、又は隣接するかを決定するためのビームを生成する、請求項１１又は１２に記載のパッティング練習補助具。
【請求項１４】
前記検出装置が、前記ゴルフボールの中心と実質的に等しい高さにおいて、地面の上方で前記ビームが広がるように構成される、請求項１１〜１３の何れか１つに記載のパッティング練習補助具。
【請求項１５】
前記検出装置が、１つの前記地面接触部に設けられたビーム送信器を含み、各ビーム受信器が、もう１つの前記地面接触部に設けられる、請求項８〜１４の何れか１つに記載のパッティング練習補助具。
【請求項１６】
前記ホールのイメージにおいてショットが行われ、前記ゴルフボールの速度、位置、及び方向が前記検出装置によって決定された後、前記ゴルフボールがホールの内部に落ちたか否かを表示するために信号が提供されるように配置される、請求項１〜１５の何れか１つに記載のパッティング練習補助具。
【請求項１７】
前記信号が、何処で前記ボールが前記ホールと交差したか、このことは前記ボールが前記ホールの内部に落ちる原因となったか否かも示す、請求項１６に記載のパッティング練習補助具。
【請求項１８】
前記信号が可聴である、請求項１６又は１７に記載のパッティング練習補助具。
【請求項１９】
前記信号が語られたメッセージである、請求項１８に記載のパッティング練習補助具。
【請求項２０】
前記信号が、前記ショットの特性の可視表示を生成する、請求項１６〜１９の何れか１つに記載のパッティング練習補助具。
【請求項２１】
多くのショットに対する前記信号が、行われたショットの記録を提供するためのデータベースに記憶される、請求項１６〜２０の何れか１つに記載のパッティング練習補助具。
【発明の詳細な説明】
【技術分野】
【０００１】
本発明は、パッティング練習補助具に関する。
【背景技術】
【０００２】
長年にわたって、多くのパッティング練習補助具がゴルファーに提案されてきた。一般に、その種の補助具は、本物のホールの模倣において特に現実的でなかった。更に、多くの場合、パッティング練習補助具は、ホールに入るのに必要な強さでショットが打たれたか否か、即ち、もしボールが強く打たれ過ぎたら、ボールはホールを通り過ぎるのか、又はエッジの周りを動き回り、ホールに入らないのか、についての指示が提供されてこなかった。
【発明の開示】
【発明が解決しようとする課題】
【０００３】
パッティングについての重要な特徴は、ゴルファーはショットの間だけでなく、ショットの直後にも頭を動かすべきではないこと、及びショットの間はボールを見下ろすべきであることである。多くのパッティング補助具に関して、ショットの間、又は少なくとも直後に頭を上げて、ショットが成功したか否かを見る誘惑が、プレイヤーに対して存在する。この特徴が、その種の補助具を使用して個人のパッティングを著しく向上させることを困難にし、行われたショットに関して多くのフィードバックを得ることも困難である。
【課題を解決するための手段】
【０００４】
本発明によると、パッティング練習補助具が提供され、補助具は、ホールのイメージを地面に生成するための装置、及びそのイメージでゴルフボールがホールの中に落ちたか否かを確認するために、可視イメージに向けられたゴルフボールの速度と方向を決定するための検出装置を含む。
【０００５】
検出装置は、何処でボールがイメージと交差するか、及びこのことがボールをイメージにおけるホールに落とすか否かを検出するための手段を含むことが好ましい。補助具は、地面の上方で間隔を空けて伸長可能なフレームを含む。イメージ生成装置はフレーム上に提供され、必要なサイズと形状のホールのイメージを生成するために下向きに光ることができるライトを含む。イメージ生成装置は、レンズを照らすＬＥＤを有してもよい。
【０００６】
検出装置は、ホールのイメージ全体にわたって広がる複数のビームを生成するための手段、及び何時、どれだけの時間ゴルフボールによってビームが遮断されるかを決定するための手段を含む。
【０００７】
ビームは赤外線、又は可視光である。
【０００８】
検出装置は、互いに傾斜し、ホールのイメージを通過し、イメージを通過するゴルフボールの速度、位置、及び方向が決定されることを可能にする１組の検出ビームを生成する。
【０００９】
検出装置は、ゴルフボールが移動している一般的な方向を決定するための外部ビーム、又は複数のビームを生成する。
【００１０】
検出装置は、ショットが行われた後、ホールのイメージにゴルフボールが残留するか、又は隣接するかを決定するためのビームを生成する。
【００１１】
検出装置は、ゴルフボールの中心と実質的に等しい高さにおいて、地面の上方でビームが広がるように構成されることが好ましい。
【００１２】
フレームは、ホールのイメージの反対側に各々が配置可能な２つの地面接触部を含む。検出装置は、１つの地面接触部に設けられたビーム送信器を含み、各ビーム受信器が、もう１つの地面接触部に設けられる。
【００１３】
ホールのイメージにおいてショットが行われ、ゴルフボールの速度、位置、及び方向が検出装置によって決定された後、ゴルフボールがホールの内部に落ちたか否かを表示するために信号が提供されるように補助具が配置されることが好ましい。
【００１４】
また、信号は、何処でボールがホールと交差したか、このことはボールがホールの内部に落ちる原因となったか否かも示す。
【００１５】
信号は可聴であることが好ましく、語られたメッセージであることが望ましい。
【００１６】
信号は、ショットの特性の可視表示を生成する。
【００１７】
多くのショットに対する信号が、行われたショットの記録を提供するためのデータベースに記憶される。
【００１８】
本発明の実施例が、例証として、添付の図面を参照して記載される。
【発明を実施するための最良の形態】
【００１９】
図１に示されるように、図１〜図３は、地面１２で打つことができるパッティング練習補助具１０を示す。補助具１０は、平面図では一般に矩形である、２つの間隔を空けられた地面接触脚１４を含む。脚１４は、図５と図６に示される。一般に半円のフレーム１６は垂直平面内において脚１４の間で伸長し、下方に向けられた光ユニット１８をその中間点に取り付ける。補助具１０の運搬を可能にするために、格納式のハンドル２０が光ユニット１８の上方に提供される。
【００２０】
光ユニット１８は、下方を向いているＬＥＤ光源２２を含む。管２４が光源２２の下方に提供され、凸レンズ２６が管２４の下端部に提供される。図４は、如何にして光源２２からの光をレンズ２６によって配向し、標準的なホールと同じサイズ、即ち、約１０８ミリメートルの直径の光の円２８を地面に提供するかを示す。
【００２１】
図１及び図３に示されるように、５つのビーム送信器３０が左の脚１４の中に提供される。送信器３０は、３８ｋＨｚ（定格）で変調された赤外線ビームを生成する。図１及び図３に示されるように、対応するビーム受信器３２が右の脚１４の中に提供される。図５に示され、以下で更に詳細に記載されるように、送信器３０は５本のビーム３４を生成する。また、補助具１０は、制御ユニット、及び拡声器も含む。
【００２２】
使用中、補助具１０は屋内でも屋外でもよい必要な場所に配置され、ユニットは室内練習に特に適している。補助具１０の下方の地面に円２８を生成するために、光源２２が点灯される。ゴルフボールは任意の方向から打つことができ、円２８の中心の下方の出来るだけ近くを通過することを目指す。ボールが円２８を通過するか、又は近くを通るとき、各ビーム３４が遮断される。まるで円２８が本当のホールであったかのように、各ビーム３４の遮断のタイミングと持続時間が測定されて、ショットの結果が決定される。
【００２３】
今、この結果の決定が記載される。送信器３０は、前部と後部の外部ビーム４０，４２を生成する。ビーム４０，４２の１つが遮断されるとき、これがゴルフボールの通過に対する測定シーケンスを開始する。もしビーム４０が最初に遮断したら、それは前方へのショットと決定され、もしビーム４２が最初に遮断したら、これは後方へのショットであると考えられる。いったんビーム４０，４２の他方が続いて遮断したら、測定シーケンスは完了する。
【００２４】
２本の検出ビーム４４，４６が外部ビーム４０，４２の間に提供され、図示されるように、検出ビーム４４，４６は右の脚１４に向かって角度αで集光するが、検出ビーム４４，４６は交差しない。前方へのショットに関して、測定シーケンスを開始するためのビーム４０の遮断に続いて、ビーム４０に最も近い検出ビーム４４が遮断する。ビーム４４の遮断の持続時間がミリ秒単位で測定され、これがボールの直径（一般に、４３ミリメートル）に分割されるとき、これは速度をミリメートル／ミリ秒単位で提供する。
【００２５】
また、検出ビーム４４の遮断と検出ビーム４６の遮断の間の時間も測定される。次に、これが速度と乗算されて、ボールの挙動の方向に移動した距離を提供する。挙動の方向は線４８によって示され、ビーム４４，４６の間に移動した距離は線５０によって示される。次に、ギャップが角度αのタンジェントで除算されて、右の脚１４からのビームシステムに沿ったギャップの水平方向の位置を提供する。この水平方向の位置は、線５２によって示される。
【００２６】
次に、ボールは後部の外部ビーム４２の中を進み、シーケンスを完了させる。ボールの中心と実質的に同じ高さであるように、全てのビーム４０，４２，４４，４６は、地面の上方の高さに配置される。明らかに、このシーケンスは後方へのパットに対して逆にされる。もし１．１４ミリメートル／ミリ秒より大きな速度が検出されたら、パットはオーバーヒットとして分類される。即ち、ホールの内部に入ることなく、ボールはホールを飛び越えるか、又は跳び回る。
【００２７】
ボールの線の水平方向の位置がいったん確立されたら、円２８によって示されるようにホールの内部の５つのゾーン、及びホールの外側の２つのゾーンに対応する予め設定された値と比較することによって、パットの結果が計算される。これらのゾーンは図６に示され、左から右へそれぞれ、ミスした左５４、左リップ５６、中心の左５８、ホールの中心６０、中心の右６２、右リップ６４、及びミスした右６６である。もしボールがホールの内部の５つのゾーンの１つを通過し、速度が１．１４ミリメートル／ミリ秒より大きくなければ、ボールはホールに入ったと考えられる。
【００２８】
ボールの位置と速度がいったん決定されたら、ショットは成功したか失敗したか、及びホールの内外の何処をボールが通ったかを示すために、可聴メッセージが拡声器を通して与えられる。また、中心ビーム６８も提供され、外部ビーム４０，４２の両方が遮断されないので、測定シーケンスが完了しない場合にのみ考慮される。もし起動されたら、ビーム６８はボールが円２８の中に、又は付近に残っているか否かを検出し、今、この位置からボールが除去されるべきであることを示唆するために、適切な可聴信号が提供されるであろう。
【００２９】
従って、仮想のホールに基づいて現実的な標的を提供する、記載されたパッティング練習補助具が存在する。また、補助具は、ボールがホールに入ったか否か、及び何処でボールがホールに入ったかに関しても信号を提供する。これは、各パットのライン、及び速度に関してプレイヤーに言葉によるフィードバックを提供し、動作、又は技術を必要に応じて変更することを可能にする。
【００３０】
可聴信号が提供されるので、プレイヤーが頭を上げて、パットが何処へ行ったかを見る必要はない。従って、何処にボールは最終的に停止したかを確かめるために、プレイヤーが顔を上げる必要無しに、ボールはオーバーヒットであったか否か、及び、ホールに入らなかったか否かの表示が提供される。
【００３１】
補助具は比較的単純な構造であり、従って、長期の信頼性のために頑丈に作ることができる。ユーザによる計算は必要ないが、ショットの結果の正確な表示が容易に素早く提供される。
【００３２】
本発明の装置の範囲から逸脱することなく、種々の変更が行える。例えば、ビームの異なる配置が使用でき、ビームは赤外線以外でもよく、光ビームであり得る。異なる光ユニットが提供され得る。ゾーンの異なる配置が使用され得る。
【００３３】
可視表示は、行われたショットの性質を提供する。これは、補助具のスクリーン、及び／又は何処かに配置されたスクリーン上に提供される。個人によって行われたショットは、実行されたショットの分析を可能にするためのデータベースに記録され得る。例えば、これはパッティング技術における変化、又は測定される他の効果を可能にする。このために補助具はコンピュータへ接続できるか、又は内部メモリを含むことができる。
【００３４】
以上、本発明の好ましい実施例について図示し記載したが、特許請求の範囲によって定められる本発明の範囲から逸脱することなく種々の変更がなし得ることは、当業者には明らかであろう。
【図面の簡単な説明】
【００３５】
【図１】本発明によるパッティング練習補助具の側面図である。
【図２】図１の補助具の平面図である。
【図３】図２の線Ｘ−Ｘに沿って切った断面図である。
【図４】図１の補助具の動作の一部を示す概略図である。
【図５】図１の補助具の動作を示す略平面図である。
【図６】図１の補助具の動作を示す略平面図である。
【符号の説明】
【００３６】
１０    パッティング練習補助具
１２    地面
１４    地面接触脚
１６    フレーム
１８    光ユニット
２０    ハンドル
２２    光源
２４    管
２６    レンズ
２８    円
３０    ビーム送信器
３２    ビーム受信器
３４    ビーム
４０，４２    外部ビーム
４４，４６    検出ビーム
６８    中心ビーム
【図１】
2008539847.tif 000003
【図２】
2008539847.tif 000004
【図３】
2008539847.tif 000005
【図４】
2008539847.tif 000006
【図５】
2008539847.tif 000007
【図６】
2008539847.tif 000008
【国際調査報告】
2008539847.tif 000009
2008539847.tif 000010